(57)【要約】【課題】リード線中間ガイド部品の一部にリード線の余長を収納する空間を設け、組み立てられることによりワイヤー余長は収納部に収められるリード線ガイドを有する電子機器を提供すること。【解決手段】リード線ガイドは両端部にリード線固定部を有し、リード線ガイドの略中間部分にコの字型の溝形状の底面方向に向かって空間を持つ余長調整スペース１と、リード線の一端が固定された状態で他端を線長方向に引っ張られた際、リード線がショートカット可能な空間となる余長調整スペース２を有している事を特徴としており、組立てる事によって、先端部に弾性部材を備える相手部品が、リード線ガイドの溝形状開口部方向からリード線を変形させながら、リード線と共に余長調整スペース１に侵入し、リード線の余長を調整する構造を特徴とするリード線ガイドを有する。【選択図】図９
2016102843.tif 000002
【特許請求の範囲】
【請求項１】
撮像装置に設けられた複数の回路基板や電気部品と、
前記複数の回路基板や電気部品をつなぐリード線（２４）と、
リード線（２４）の中央部に取り付けられ、コの字型の溝形状にてリード線（２４）を収納しリード線両端部の余長を調整するリード線ガイド（３１）とで構成されるユニット部品において、
リード線ガイド（３１）は両端部にリード線固定部（３１ａ、ｂ）を有し、
リード線ガイド（３１）の中間部分にコの字型の溝形状の底面方向に向かって空間を持つ余長調整スペース（３１ｃ）を有していることを特徴としており、
先端部に弾性部材を備え、リード線ガイド（３１）に隣接し、リード線ガイド（３１）の溝形状開口部方向から組み込まれる構造体が、リード線ガイド（３１）の溝形状開口部方向からリード線（２４）を変形させながら、リード線（２４）と共に余長調整スペース（３１ｃ）に侵入し、リード線（２４）の余長をリード線ガイド（３１）に収まるよう適切な長さに調整する構造を特徴とするリード線ガイド（３１）を有する電子機器。
【請求項２】
余長調整スペース（３１ｃ）とは別に、余長調整スペース（３１ｃ）とリード線固定部（３１ａ、ｂ）の間に、組立時よりも余長調整スペース（３１ｃ）とリード線固定部間のリード線長さを短縮させる事が可能な空間となる余長調整スペース（３１ｄ）を有すことを特徴とする請求項１に記載の電子機器。
【請求項３】
複数の回路基板や電気部品は、ストロボ発光部と、ストロボを発光させるために必要なエネルギーが蓄えられたコンデンサであることを特徴とする請求項１に記載の電子機器。
【請求項４】
ユニット組立時に、組立てる事によって、先端部に弾性部材を備える相手部品が、前記リード線ガイドの溝形状開口部方向からリード線（２４）を変形させながら、リード線（２４）と共に余長調整スペース１に侵入した際、余長調整スペース（３１ｄ）にもリード線（２４）が侵入し、リード線（２４）の余長を調整することを特徴とするリード線ガイド（３１）を有する請求項１に記載の電子機器。
【請求項５】
リード線ガイド（３１）には、リード線（２４）の端部長さを固定する圧入形状近傍に接着剤を塗布する空間を備えていることを特徴とする請求項１に記載の電子機器。
【請求項６】
リード線ガイド（３１）にはケース部材近傍に設けられた基板に実装されたコネクタが外れる方向の空間を塞ぐ形状を有することを特徴とする請求項１に記載の電子機器。
【請求項７】
リード線ガイド（３１）にはケース部材近傍に配置されるフレキシブル基板の浮き上がりを防止する形状を有することを特徴とする請求項１に記載の電子機器。
【請求項８】
リード線ガイド（３１）は透明部材で構成されていることを特徴とする請求項１に記載の電子機器。
【発明の詳細な説明】
【技術分野】
【０００１】
本発明は、撮像装置に関し、更に詳しくは、撮像装置内部に配線されたリード線の余長を吸収する構造に関する。
【背景技術】
【０００２】
撮像装置を小型化するにあたり、ストロボを発光するためのエネルギーを蓄えるコンデンサを、外観を兼ねる発光部や発光を制御する制御基板の近傍に配置する事により撮像装置全体をコンパクトに構成する方法がある。また、発光部や制御基板の近傍にコンデンサを配置するよりも、他の部品が構造上配置しにくい箇所、たとえばグリップ部膨らみの内部にコンデンサを配置する事で、撮像装置全体をコンパクトに構成する方法がある。しかしながら後者の方法では、発光部や基板部とコンデンサが離れて配置される事になり、発光部や基板部とコンデンサを繋ぐリード線長が長くなってしまう事にもなる。
【０００３】
一般にリード線は線長が増加するほどリード線カット時における長さのばらつきが大きくなる。そのため、リード線の長さが短すぎた状態で組立てると、正規の位置に組立てられなくなるトラブルとなる。一方で、リード線の長さが長すぎた状態で組立てると、リード線が余る事で撮像装置内部の可動部品にリード線が挟み込まれてしまい動作不良のトラブルとなる場合がある。
【０００４】
特許文献１では、複数のリード線を両端でピン固定し、ばらつきのあるリード線の余長を容易に調整する中間部品が開示されている。
【先行技術文献】
【特許文献】
【０００５】
【特許文献１】特開２００４−５６９２３号公報
【発明の概要】
【発明が解決しようとする課題】
【０００６】
しかしながら、上述の特許文献１に開示された従来技術は、余長調整によって迂回されたリード線の処理方法に関する言及はなく、また、リード線長が想定よりも短いユニットが作成された際にリード線に負荷をかける事無く処理する事は出来ない。
【０００７】
そこで、本発明の目的は、リード線中間ガイド部品の一部にリード線の余長を収納する空間を設け、組み立てられることによりワイヤー余長は収納部に収められるリード線ガイドを有する電子機器を提供することにある。
【課題を解決するための手段】
【０００８】
上記目的を達成するために、本発明は、撮像装置に設けられた複数の回路基板や電気部品と、前記複数の回路基板や電気部品をつなぐリード線と、リード線の略中央部に取り付けられ、コの字型の溝形状にてリード線を収納しリード線両端部の余長を調整するリード線ガイドとで構成されるユニット部品において、リード線ガイドは両端部にリード線固定部を有し、リード線ガイドの略中間部分にコの字型の溝形状の底面方向に向かって空間を持つ余長調整スペースを有している事を特徴としており、先端部に弾性部材を備え、リード線ガイドに隣接し、リード線ガイドの溝形状開口部方向から組み込まれる構造体が、リード線ガイドの溝形状開口部方向からリード線を変形させながら、リード線と共に余長調整スペースに侵入し、リード線の余長をリード線ガイドに収まるよう適切な長さに調整する構造を特徴とする。
【発明の効果】
【０００９】
本発明の電子機器によれば、発光部とコンデンサがリード線により結ばれたストロボユニットの組立において、リード線余長をあらかじめ規定した空間に収め、リード線の長さが不足する事で正規の位置に組立てられなくなる事や、リード線が余る事で撮像装置内部の可動部品にリード線が挟み込まれてしまい動作不良の原因となってしまうことを防止できる。
【図面の簡単な説明】
【００１０】
【図１】本発明の撮像装置１の正面斜視図
【図２】本発明の撮像装置１の背面斜視図
【図３】本発明のストロボユニット７の正面斜視図
【図４】本発明のストロボユニット７の背面斜視図
【図５】本発明のリード線２４組み込み前の分解斜視図
【図６】本発明のリード線２４組み込み後の斜視図
【図７】本発明のトップカバーユニット４１組み込み時の分解斜視図
【図８】本発明のトップカバーユニット４１組み込み中の断面図
【図９】本発明のトップカバーユニット４１組み込み後の断面図
【図１０】本発明の余長吸収スペース近傍の斜視図
【図１１】本発明の余長吸収スペース近傍の斜視図（余長不足）
【図１２】本発明のリード線２４組み込み中の分解斜視図
【図１３】コネクタ抑えを含むリード線短手方向断面図
【発明を実施するための形態】
【００１１】
以下、本発明の好ましい実施の形態を、添付の図面に基づいて詳細に説明する。
【００１２】
［実施例］
図１は本発明の実施形態である撮像装置１の正面斜視図であり、図１におけるストロボユニット７は本体に収納されている状態である。図２は本発明の実施形態である撮像装置１の背面斜視図であり、内蔵されたストロボユニット７を発光可能にした状態である。
【００１３】
図１ならびに図２の２は撮像装置１の電源のON、OFF機能を持つ電源ボタン、３は撮影準備、及び撮影開始を指示するためのレリーズボタン、４は撮影者が任意で露出補正の制御を可能にする露出補正ダイヤル、５は様々な撮影モードを切り替えることが可能なモードダイヤル、６はモードダイヤル５によって選択された項目に従い絞り値やシャッター速度やISO感度の調節が割り当てられるメイン電子ダイヤル、７はストロボユニットであり、ストロボユニット７は撮像装置１の側面に設けられたレバー８の動作により撮像装置１の上方に移動可能である。
【００１４】
９は鏡筒であり、レンズを通じて被写体像を取り込み、不図示の撮像素子に結像させ電気信号に変換する。１０はアクセサリーシューであり、アクセサリーシュー１０には不図示の外付けのストロボや、複数のストロボユニットの発光を制御するための電波信号や無線信号を発信するトランスミッターや、外付けのビューファインダーなどが撮影者の好みに応じ取付可能である。１１は撮像装置１を用いて動画を撮影する際の音声を記録するためのマイク、１２は撮影者が撮像装置１を保持しやすくするために設けられたグリップ１２であり、グリップ１２内部には後述するストロボユニット７のメインコンデンサ２２が内蔵されている。
【００１５】
１３は撮像装置１で撮影された動画を再生する際の音や、本体操作時の動作音を発するスピーカーである。また、１４は撮影画像の確認・再生、撮影条件等の各種情報を表示するための液晶表示装置である。１５はモードダイヤル５によって選択された項目に従い、絞り値やシャッター速度やISO感度の調節が割り当てられるサブ電子ダイヤルである。
【００１６】
図３はレバー８の操作により撮像装置の上方に移動し、ストロボ発光が可能な状態となったストロボユニット７の正面斜視図であり、図４はストロボ発光部が本体に収納された状態のストロボユニット７の背面斜視図である。２０はストロボ発光窓であり、後述するメインコンデンサ２２に蓄えられたエネルギーを用いてストロボ発光窓２０の奥に配置された不図示の発光部を発光させ、光を被写体に照射する。この光は、撮影時に光量が不足した時の補助光として活用したり、動きのある被写体に対しシャッタースピードを上げる撮影に活用したり、被写体の瞳の中に光源の反射を点像にして入れるキャッチライトを用いた撮影等に用いられる。
【００１７】
２１は制御基板２１であり、ストロボ発光のタイミングや、発光時間、発光量等を必要に応じて調整している。２２はメインコンデンサであり、不図示の撮像装置１に備えられた電源によって、必要に応じて充電され、蓄えられたエネルギーを制御基板２１のコントロールによりストロボ発光のために放出する。
【００１８】
２３はコンデンサカバーであり、コンデンサ２２の端子部を含む部分を覆っており、組立時に誤ってコンデンサ２２の端子部に触れる事で、コンデンサ２２に蓄積されたエネルギーにより組立者が感電してしまう事を防止する。２４はリード線であり、制御基板２１とメインコンデンサ２２の端子部を繋ぐ。リード線２４はストロボを発光させるための大電流を伝達する導電性線材であり、ショート防止のために導電性線材の周囲を絶縁体で覆う構造となっている。なお、導電材も絶縁材も容易に塑性変形が可能であるという特徴を有している。
【００１９】
２５はフレキシブル基板であり、制御基板２１と発光部と後述するメイン基板５１とを繋ぎ、メイン基板からの電力を制御基板２１に供給する。また、ストロボ発光信号をメイン基板５１から制御基板２１に伝達する役割を担っている。３１はリード線ガイド３１であり、制御基板２１とメインコンデンサ２２の端子部を繋ぐリード線２３の中間部分に位置し、コの字型の溝を有している。また、リード線ガイド３１はストロボユニット７組立て後にリード線の２３の状態を容易に確認可能にするため、透明の部材でつくられている。リード線２３はリード線ガイド３１の溝部に収納される事により、被覆に傷がつく事を防止する効果や、組立時のリード線処理を簡略化する効果がある。
【００２０】
図５はリード線２４をリード線ガイド３１に嵌め込む直前の図であり、図６はリード線２４をリード線ガイド３１に嵌め込んだ直後の図である。図５および図６共にリード線２４とリード線ガイド３１のみを図示したものである。
【００２１】
リード線ガイド３１には、リード線ガイド３１とメインコンデンサ２２側のリード線を固定するための軸形状３１ａと、リード線ガイド３１と制御基板部側のリード線長さを固定するための軸形状３１ｂがある。リード線２４を収納するリード線ガイド３１の中で、軸形状３１ａ、３１ｂ部近傍のみがリード線２４と略同一の幅でつくられており、リード線２４を溝部に配置する事によって、軸形状３１ａ、３１ｂ近傍では軽圧入状態となり、リード線２４が長手方向に移動しにくくなり、リード線ガイド３１にガイドされるリード線２４の長さが適切に保たれる。
【００２２】
軸形状３１ａ、３１ｂ近傍にはリード線ガイド３１とリード線２４の両端部長さを固定するための接着剤を塗布する空間が設けられている。リード線２４が軸形状３１ａ、３１ｂで固定される事により、リード線２４の長さのばらつきは軸形状３１ａ、３１ｂ間で発生し、リード線２４にはリード線余長２４ａが発生する。
【００２３】
リード線ガイド３１には、リード線ガイド３１内でのリード線２４の余長を調整するためのスペースである余長調整スペース３１ｃ、３１ｄが設けられている。余長調整スペース３１ｃは、コの字型の溝の底面方向に向かって空間を有している事を特徴としており、リード線２４はユニット組立時に余長調整スペース３１ｃへ侵入せずにほぼ直線的に、余長調整スペース３１ｃの上を通過している。余長調整スペース３１ｄは、コの字型の溝のコーナー部内周側に空間を有している事を特徴としており、リード線２４はユニット組立時に余長調整スペース３１ｄへ侵入せずにコーナー部外周側に沿って配置されている。また、リード線ガイド３１にはフレキ抑え３１ｅとコネクタ抑え３１ｆが備えられている。
【００２４】
図７は組立中の撮像装置１に、ストロボユニット７が取り付けられた状態で、露出補正ダイヤル４やモードダイヤル５が搭載されたトップカバーユニット４１が取り付けられる直前の正面斜視図である。トップカバーユニットはコの字型の溝を有するリード線ガイド３１の余長調整スペース３１ｃの開口方向から取り付けられる。図８、図９は余長調整スペース３１ｃを通り、かつ、リード線２４の長手方向に切断した余長調整スペース３１ｃ近傍の断面図である。図８はストロボユニット７が取付けられた撮像装置１に、トップカバーユニット４１取付け中の図であり、図９はストロボユニット７が取付けられた撮像装置１に、トップカバーユニット４１を取付けた後の図である。
【００２５】
トップカバーユニット４１には、組立て完了後に余長調整スペース３１ｃに入り込む弾性変形可能な弾性体４２が備えられている。トップカバーユニット４１取り付け作業の際、最初に弾性体４２とリード線余長２４ａ近傍が接触する。組立てを進める事により弾性部材４２は弾性変形を伴いながら、リード線余長２４ａを余長調整スペース３１ｃに押し込み、リード線２４ａは余長調整スペース３１ｃに収まりかつ、弾性体４２との接触した状態であるリード線余長２４ｂの状態となる。リード線２４の余長が２４ｂの状態になる事により、リード線が撮像装置１の内部での動きを抑制する事ができる。
【００２６】
図１０はトップカバーユニット４１組立て後にストロボユニット７以外を不図示としたリード線余長２４ａが十分に確保されている状態の余長調整スペース３１ｄ近傍の斜視図である。また、図１１はトップカバーユニット４１組立て後にストロボユニット７以外を不図示としたリード線余長２４ａが十分に確保されていない状態の余長調整スペース３１ｄ近傍の斜視図である。リード線の余長が十分に確保されている場合、リード線２４の余長処理は余長調整スペース３１ｃのみで行われ、余長調整スペース３１ｄ近傍のリード線２４は組立後も余長調整スペース３１ｄへ侵入せずにコーナー部外周側に沿って配置されたままとなっている。
【００２７】
一方、リード線の余長が十分に確保されていない場合、余長調整スペース３１ｄにて余長調整が行われると、リード線の長さが不足してしまい、リード線ガイド３１に収納されたリード線が引っ張られてしまう。リード線が余長調整スペース３１ｃ方向に引っ張られる事で、余長調整スペース３１ｃ近傍のリード線は、余長調整スペース３１ｄへ侵入し図１１の状態となる。
【００２８】
図１２は組立中の撮像装置１にストロボユニット７が取り付けられる前の状態である。また、図１３はトップカバーユニットが取り付けられた後、コネクタ抑え３１ｆを通り、かつ、リード線２４の短手方向に切断したコネクタ抑え３１ｆ近傍の断面図である。電源フレキ５２は電源フレキ５２に搭載されたコネクタ５４を通じてメイン基板５１と締結されている。また、電源フレキ５２には撮像装置１の内部に配置され不図示の電源端子が実装されている。電池端子実装部の裏面となる電源端子裏面部５３はフレキ抑え３１ｅに正対する位置に配置されている。
【００２９】
電源端子裏面部５３がフレキ抑え３１ｅに正対する位置に配置されているため、ストロボユニット７を組立てる事により、リード線ガイド３１に設けられたフレキ抑え３１ｅが電源端子裏面部５３の直上に配置され、電源フレキ５２が浮き上がるスペースを塞ぐ事により、電源端子裏面部を固定するためのビスを削減している。また、コネクタ５４差し込み方向はストロボユニット組み付け方向に略直行している。そのため、組み立てられる事により、コネクタ抑え３１ｆがコネクタ５４のバックスペースを塞ぎ、振動や落下衝撃によるメイン基板５１からのコネクタ外れを防止する。
【符号の説明】
【００３０】
１  撮像装置、２  電源ボタン、３  レリーズボタン、４  露出補正ダイヤル、
５  モードダイヤル、６  メイン電子ダイヤル、７  ストロボユニット、８  レバー、
９  鏡筒、１０  アクセサリーシュー、１１  マイク、１２  グリップ部、
１３  スピーカー、１４  液晶表示素子、１５  サブ電子ダイヤル、
２０  ストロボ発光窓、２１  制御基板、２２  メインコンデンサ、
２３  コンデンサカバー、２４  リード線、２４ａ，２４ｂ  リード線余長、
２５  フレキシブル基板、３１  リード線ガイド、３１ａ，３１ｂ  リード線固定部、
３１ｃ，３１ｄ  余長調整スペース、３１ｅ  フレキ抑え、３１ｆ  コネクタ抑え、
４１  トップカバーユニット、４２  弾性体
【図１】
2016102843.tif 000003
【図２】
2016102843.tif 000004
【図３】
2016102843.tif 000005
【図４】
2016102843.tif 000006
【図５】
2016102843.tif 000007
【図６】
2016102843.tif 000008
【図７】
2016102843.tif 000009
【図８】
2016102843.tif 000010
【図９】
2016102843.tif 000011
【図１０】
2016102843.tif 000012
【図１１】
2016102843.tif 000013
【図１２】
2016102843.tif 000014
【図１３】
2016102843.tif 000015